(57)【特許請求の範囲】
【請求項１】
内部に被処理水が供給される略筒状の圧力容器と、
該圧力容器の内部に配され、該圧力容器内部の被処理水が集水されるとともに、一端がバルブにより開閉可能に外部と連通する集水管と、
該集水管の外周に設けられて前記圧力容器内部の被処理水をろ過して透過水を生成する逆浸透膜と、を有し、前記集水管に沿って複数配された逆浸透膜エレメントとを備えた逆浸透膜淡水化装置の検査装置において、
前記バルブを開放して一端から集水管内部に導入されて、前記集水管内部に一端側から他端側へと流通する透過水の流れとともに移動して透過水の電気伝導度を検出するセンサ本体、及びセンサ本体で検出した電気伝導度を無線送信する電気伝導度送信部を有する電気伝導度センサと、
該電気伝導度センサの前記集水管内部での位置を検出する位置検出部、及び該位置検出部で検出した位置情報を無線送信する位置送信部を有する位置検出手段と、
前記電気伝導度送信部及び位置送信部から送信された電気伝導度及び前記電気伝導度センサの位置を無線受信する受信部を有し、該受信部で受信された電気伝導度及び前記電気伝導度センサの位置に基づいて複数の前記逆浸透膜エレメントの評価を行う情報処理部とを備えることを特徴とする逆浸透膜淡水化装置の検査装置。
【請求項２】
前記位置検出部は、前記電気伝導度センサに設けられ、前記各逆浸透膜エレメントに設けられた固体識別手段から情報を受信する固体識別情報受信部であり、
前記位置送信部は、前記電気伝導度センサに搭載されていることを特徴とする請求項１に記載の逆浸透膜淡水化装置の検査装置。
【請求項３】
前記電気伝導度センサの固体識別情報受信部が、所定の逆浸透膜エレメントの固体識別手段と無線通信を行った時間から別の前記逆浸透膜エレメントの固体識別手段と無線通信を行った時間までの経過時間と、所定の前記逆浸透膜エレメントと別の前記逆浸透膜エレメントとの距離とから、前記電気伝導度センサの移動速度を算出することを特徴とする請求項２に記載の逆浸透膜淡水化装置の検査装置。
【請求項４】
前記位置検出部は、前記集水管の端部に設けられた超音波発信装置であり、
前記位置送信部は、前記超音波発信装置に設けられていることを特徴とする請求項１に記載の逆浸透膜淡水化装置の検査装置。
【請求項５】
内部に被処理水が供給される略筒状の圧力容器と、
該圧力容器の内部に配され、該圧力容器内部の被処理水が集水されるとともに、一端がバルブにより開閉可能に外部と連通する集水管と、
該集水管の外周に設けられて前記圧力容器内部の被処理水をろ過して透過水を生成する逆浸透膜と、を有し、前記集水管に沿って複数配された逆浸透膜エレメントとを備えた逆浸透膜淡水化装置の検査方法において、
透過水の電気伝導度を検出するセンサ本体、及び電気伝導度送信部を有する電気伝導度センサを、前記バルブを開放して一端から集水管内部に導入し、前記集水管内部に一端側から他端側へと流通する透過水の流れとともに移動させるとともに、電気伝導度を無線送信する工程と、
該電気伝導度センサの前記集水管内部での位置を検出し、検出された位置情報を無線送信する工程と、
送信された電気伝導度及び前記電気伝導度センサの位置を無線受信し、電気伝導度及び前記電気伝導度センサの位置に基づいて複数の前記逆浸透膜エレメントの評価を行う工程と、を有することを特徴とする逆浸透膜淡水化装置の検査方法。
【請求項６】
内部に被処理水が供給される略筒状の圧力容器と、
該圧力容器の内部に配され、該圧力容器の内部の被処理水が集水されるとともに、一端がバルブにより開閉可能に外部と連通する集水管と、
該集水管の外周に設けられて前記圧力容器内部の被処理水をろ過して透過水を生成する逆浸透膜と、を有し、前記集水管に沿って複数配された逆浸透膜エレメントと、
を備えた逆浸透膜淡水化装置と、
前記バルブを開放して一端から集水管内部に導入されて、前記集水管内部に一端側から他端側へと流通する透過水の流れとともに移動して透過水の電気伝導度を検出するセンサ本体、及びセンサ本体で検出した電気伝導度を無線送信する電気伝導度送信部を有する電気伝導度センサと、
該電気伝導度センサの前記集水管内部での位置を検出する位置検出部、及び該位置検出部で検出した位置情報を無線送信する位置送信部を有する位置検出手段と、
前記電気伝導度送信部及び位置送信部から送信された電気伝導度及び前記電気伝導度センサの位置を無線受信する受信部を有し、該受信部で受信された電気伝導度及び前記電気伝導度センサの位置に基づいて複数の前記逆浸透膜エレメントの評価を行う情報処理部と、
を備える検査装置と、を備えることを特徴とする逆浸透膜淡水化システム。
【請求項７】
前記位置検出部は、前記電気伝導度センサに設けられ、前記各逆浸透膜エレメントに設けられた固体識別手段から情報を受信する固体識別情報受信部であり、
前記位置送信部は、前記電気伝導度センサに搭載されていることを特徴とする請求項６に記載の逆浸透膜淡水化システム。
【請求項８】
前記位置検出部は、前記集水管の端部に設けられた超音波発信装置であり、
前記位置送信部は、前記超音波発信装置に設けられていることを特徴とする請求項６に記載の逆浸透膜淡水化システム。
【請求項９】
前記バルブは、複数のバルブを直列に接続した二重バルブであり、前記電気伝導度センサは、前記二重バルブを順次開閉させることで、前記集水管に導入されることを特徴とする請求項６から請求項８のいずれか一項に記載の逆浸透膜淡水化システム。
【発明の詳細な説明】
【技術分野】
【０００１】
本発明は、逆浸透膜淡水化装置の検査装置に係り、特に、透過水の性質を計測する手段を備えた逆浸透膜淡水化装置の検査装置、及び検査方法、並びに逆浸透膜淡水化システムに関する。
【背景技術】
【０００２】
逆浸透膜を用いた淡水化装置では、螺旋状に巻かれた逆浸透膜エレメントが経年的にあるいは突発的（例えば塩素流入等で）に劣化し、膜面へのスケールや異物の付着、膜材質の劣化により、生産水質が低下あるいは生産水量が低下するという問題がある。生産水質あるいは生産水量を維持するために、性能が劣化した逆浸透膜エレメントのみを交換できることが望ましい。
【０００３】
しかし、複数の逆浸透膜エレメントを直列に収容している圧力容器に収容したまま生産水質や生産水量を逆浸透膜エレメント毎に測定することは困難であった。
そこで、特許文献１には、流量および電気伝導度の一体化センサを逆浸透膜（ＲＯ）ユニットの運転中の個々の逆浸透膜エレメントの浸透管に挿入し、性能の劣化した逆浸透膜エレメントを検出する装置が提案されている。
【先行技術文献】
【特許文献】
【０００４】
【特許文献１】特表２００９−５３００８２号公報
【発明の概要】
【発明が解決しようとする課題】
【０００５】
しかし、特許文献１に記載の測定システムの場合には、圧力容器内の各逆浸透膜エレメントの位置に一体化センサを移動させて流量および電気伝導度を計測する必要がある。そのため、圧力容器に収容されている逆浸透膜エレメントが多量にある場合には、計測に時間を要し、人手もかかるという問題がある。
また、特許文献１に記載の測定システムの場合は、透過水の流量を測る機能はセンサに搭載されているため、センサにかかるコストが増大するという問題がある。
【０００６】
本発明は、このような事情を考慮してなされたもので、その目的は、容易に性能の劣化した逆浸透膜エレメントを特定することができ、かつ、容易に透過水の流量を測定することができる逆浸透膜淡水化装置の検査方法を提供することにある。
【課題を解決するための手段】
【０００７】
上記の目的を達成するために、この発明は以下の手段を提供している。
本発明の逆浸透膜淡水化装置の検査装置は、内部に被処理水が供給される略筒状の圧力容器と、該圧力容器の内部に配され、該圧力容器内部の被処理水が集水されるとともに、一端がバルブにより開閉可能に外部と連通する集水管と、該集水管の外周に設けられて前記圧力容器内部の被処理水をろ過して透過水を生成する逆浸透膜と、を有し、前記集水管に沿って複数配された逆浸透膜エレメントとを備えた逆浸透膜淡水化装置の検査装置において、前記バルブを開放して一端から集水管内部に導入されて、前記集水管内部に一端側から他端側へと流通する透過水の流れとともに移動して透過水の電気伝導度を検出するセンサ本体、及びセンサ本体で検出した電気伝導度を無線送信する電気伝導度送信部を有する電気伝導度センサと、該電気伝導度センサの前記集水管内部での位置を検出する位置検出部、及び該位置検出部で検出した位置情報を無線送信する位置送信部を有する位置検出手段と、前記電気伝導度送信部及び位置送信部から送信された電気伝導度及び前記電気伝導度センサの位置を無線受信する受信部を有し、該受信部で受信された電気伝導度及び前記電気伝導度センサの位置に基づいて複数の前記逆浸透膜エレメントの評価を行う情報処理部とを備えることを特徴とする。
【０００８】
上記構成によれば、複数の逆浸透膜エレメントを有する逆浸透膜淡水化装置であっても、センサを逆浸透膜エレメント毎に移動させる必要がなくなる。さらに、センサの位置を検出することによって、透過水の流速、ひいては、透過水の流量を測定することができ、正確な逆浸透膜エレメントの評価を行うことができる。したがって、逆浸透膜淡水化装置の検査時間を低減して、容易に性能の劣化した逆浸透膜エレメントを特定することができる。
【０００９】
本発明の逆浸透膜淡水化装置の検査装置において、前記位置検出部は、前記電気伝導度センサに設けられ、前記各逆浸透膜エレメントに設けられた固体識別手段から情報を受信する固体識別情報受信部であり、前記位置送信部は、前記電気伝導度センサに搭載されている構成とすることができる。
【００１０】
上記構成によれば、固体識別手段の位置情報を用いることによって、容易に性能の劣化した逆浸透膜エレメントを特定することができる
【００１１】
本発明の逆浸透膜淡水化装置の検査装置において、前記電気伝導度センサの固体識別情報受信部が、所定の逆浸透膜エレメントの固体識別手段と無線通信を行った時間から別の前記逆浸透膜エレメントの固体識別手段と無線通信を行った時間までの経過時間と、所定の前記逆浸透膜エレメントと別の前記逆浸透膜エレメントとの距離とから、前記電気伝導度センサの移動速度を算出することが好ましい。
【００１２】
上記構成によれば、固体識別手段の位置情報を用いて電気伝導度センサの移動速度を算出することによって、低コストで透過水の流量を測定することができる。
【００１３】
本発明の逆浸透膜淡水化装置の検査装置において、前記位置検出部は、前記集水管の端部に設けられた超音波発信装置であり、前記位置送信部は、前記超音波発信装置に設けられている構成とすることができる。
【００１４】
上記構成によれば、超音波発信装置から発信された超音波を電気伝導度センサに当て、その反射波を計測することで電気伝導度センサの位置、及び速度を測定されるため、容易に性能の劣化した逆浸透膜エレメントを特定することができるとともに、低コストで透過水の流量を測定することができる。
【００１５】
また、本発明の逆浸透膜淡水化装置の検査方法は、内部に被処理水が供給される略筒状の圧力容器と、該圧力容器の内部に配され、該圧力容器内部の被処理水が集水されるとともに、一端がバルブにより開閉可能に外部と連通する集水管と、該集水管の外周に設けられて前記圧力容器内部の被処理水をろ過して透過水を生成する逆浸透膜と、を有し、前記集水管に沿って複数配された逆浸透膜エレメントとを備えた逆浸透膜淡水化装置の検査方法において、透過水の電気伝導度を検出するセンサ本体、及び電気伝導度送信部を有する電気伝導度センサを、前記バルブを開放して一端から集水管内部に導入し、前記集水管内部に一端側から他端側へと流通する透過水の流れとともに移動させるとともに、電気伝導度を無線送信する工程と、該電気伝導度センサの前記集水管内部での位置を検出し、検出された位置情報を無線送信する工程と、送信された電気伝導度及び前記電気伝導度センサの位置を無線受信し、電気伝導度及び前記電気伝導度センサの位置に基づいて複数の前記逆浸透膜エレメントの評価を行う工程と、を有することを特徴とする。
【００１６】
また、本発明の逆浸透膜淡水化システムは、内部に被処理水が供給される略筒状の圧力容器と、該圧力容器の内部に配され、該圧力容器内部の被処理水が集水されるとともに、一端がバルブにより開閉可能に外部と連通する集水管と、該集水管の外周に設けられて前記圧力容器内部の被処理水をろ過して透過水を生成する逆浸透膜と、を有し、前記集水管に沿って複数配された逆浸透膜エレメントと、を備えた逆浸透膜淡水化装置と、前記バルブを開放して一端から集水管内部に導入されて、前記集水管内部に一端側から他端側へと流通する透過水の流れとともに移動して透過水の電気伝導度を検出するセンサ本体、及びセンサ本体で検出した電気伝導度を無線送信する電気伝導度送信部を有する電気伝導度センサと、該電気伝導度センサの前記集水管内部での位置を検出する位置検出部、及び該位置検出部で検出した位置情報を無線送信する位置送信部を有する位置検出手段と、前記電気伝導度送信部及び位置送信部から送信された電気伝導度及び前記電気伝導度センサの位置を無線受信する受信部を有し、該受信部で受信された電気伝導度及び前記電気伝導度センサの位置に基づいて複数の前記逆浸透膜エレメントの評価を行う情報処理部と、を備える検査装置と、を備えることを特徴とする。
【００１７】
本発明の逆浸透膜淡水化システムにおいて、前記バルブは、複数のバルブを直列に接続した二重バルブであり、前記電気伝導度センサは、前記二重バルブを順次開閉させることで、前記集水管に導入されることが好ましい。
【００１８】
上記構成によれば、逆浸透膜淡水化装置を停止することなく検査することができる。
【発明の効果】
【００１９】
本発明によれば、複数の逆浸透膜エレメントを有する逆浸透膜淡水化装置であっても、センサを逆浸透膜エレメント毎に移動させる必要がなくなる。さらに、速度測定手段を用いてセンサの速度を測定することによって、透過水の流速、ひいては、透過水の流量を測定することができる。したがって、逆浸透膜淡水化装置の検査時間を低減して、容易に性能の劣化した逆浸透膜エレメントを特定することができる。
【図面の簡単な説明】
【００２０】
【図１】本発明の実施形態に係る逆浸透膜淡水化システムの概略構成図である。
【図２】本発明の実施形態に係る逆浸透膜モジュールの概略構成図である。
【図３】本発明の別の実施形態に係る逆浸透膜モジュールの概略構成図である。
【発明を実施するための形態】
【００２１】
以下、本発明の実施形態に係る逆浸透膜淡水化システム１の構成について詳細に説明する。
図１に示すように、逆浸透膜淡水化システム１は、複数（例えば４つ）の逆浸透膜モジュール２と、生産水を回収するためのヘッダ６と、を有する逆浸透膜淡水化装置３０と、各々の逆浸透膜モジュール２にカプセル型の電気伝導度センサ４を供給するセンサ供給装置３と、センサ供給装置３と各々の逆浸透膜モジュール２とを接続するセンサ供給パイプ５と、電気伝導度センサ４からの無線信号を受信する情報処理装置７と、を有する検査装置３１とから構成されている。
【００２２】
逆浸透膜淡水化装置３０は、複数の逆浸透膜モジュール２を用いて生産水を生産するシステムであり、生産水は、生産水取出し管８を介してヘッダ６に集約されて回収される。
電気伝導度センサ４は、逆浸透膜モジュール２内を流れる透過水の電気伝導度を計測する計測手段であり、電気伝導度センサ４によって計測された計測値は、無線通信によって情報処理装置７に送信される。電気伝導度センサ４は、逆浸透膜モジュール２を通過した後、籠９に投入されることで回収される。
【００２３】
複数の逆浸透膜モジュール２は、長手方向が互いに平行となるように配置されている。
ヘッダ６は、互いに平行に設けられている逆浸透膜モジュール２の後方側（図１において右側）に、逆浸透膜モジュール２の長手方向に対して直交するように設けられており、生産水取出し管８から導かれた生産水を外部へと取り出すものである。
【００２４】
次に、各構成要素の詳細について説明する。
図２に示すように、逆浸透膜モジュール２は、複数のスパイラル型逆浸透膜を利用して被処理水Ｗ１（海水）から生産水Ｗ３を取り出す装置であり、略円筒状の複数の圧力容器１０と、圧力容器１０の内部に複数直列に接続されて略同心円状に設けられる略円筒状の集水管１１と、各々の集水管１１の外周に設けられている逆浸透膜エレメント１２ａ，１２ｂ，１２ｃ，１２ｄ，１２ｅ，１２ｆ（以下、エレメントと称す）と、を有している。
【００２５】
集水管１１は、連結部１３を介して複数（例えば６つ）が直列に接続されている。各々の集水管１１は、圧力容器１０の軸方向を貫通して設けられており、最上流側の集水管１１の前方側の端部は、圧力容器１０の前方側に開口している開口部１４に連通している。最下流の集水管１１の後方側の端部は、電気伝導度センサ４を回収するための籠９の上方に開口されている。
【００２６】
また、集水管１１の後方側の端部付近には、生産水取出し管８が分岐しており、生産水Ｗ３をヘッダ６へと導くようになっている。ここで、生産水取出し管８の内径は、カプセル型の電気伝導度センサ４の外径よりも小さいものとされている。
【００２７】
圧力容器１０内に同心円状に設けられている集水管１１の外周には、スパイラル状のメッシュスペーサを有しているスパイラル状の逆浸透膜１５が巻装されており、エレメント１２を構成している。エレメント１２は、被処理水Ｗ１をスパイラル状逆浸透膜１５に透過させ、中心の集水管１１から透過水Ｗ２を得るものである。
【００２８】
各々のエレメント１２は、圧力容器１０の前方側から供給される所定圧力の被処理水Ｗ１をメッシュスペーサによりスパイラル状逆浸透膜１５に透過させる。逆浸透作用によりスパイラル状逆浸透膜１５を透過して得られた透過水Ｗ２は、集水管１１へと集められる。また、濃縮水Ｗ４は、圧力容器１０の後方側から取り出される。
【００２９】
各々のエレメント１２には、ＲＦＩＤ（無線周波数識別）タグ１８が各々搭載されている。ＲＦＩＤタグ１８は、後述する電気伝導度センサ４のＲＦＩＤ読込装置１９と通信するためのものであり、電磁界や電波などを用いた近距離の無線通信によって情報をやり取りする標識である。ＲＦＩＤタグ１８は、各エレメント１２の一定の位置に取り付けられている。本実施形態では、ＲＦＩＤタグ１８は各エレメント１２の後端付近に貼り付けられている。
【００３０】
圧力容器１０の一端には集水管１１に連通する開口部１４が開口している。開口部１４には、第一ボールバルブ１６ａ、及び第二ボールバルブ１６ｂが直列に接続されており、開口部１４とセンサ供給パイプ５とが、２つのボールバルブ１６を介して接続されている。
ボールバルブ１６は、弁体が球状で、弁軸を９０度回転することで、バルブの開閉を行うものである。また、２つのボールバルブ１６のうち、前方側（センサ供給パイプ５側）の第一ボールバルブ１６ａには、図示しない接触感知手段が設けられており、電気伝導度センサ４が第一ボールバルブ１６ａに到達したことを感知可能とされている。
【００３１】
電気伝導度センサ４は、各々のエレメント１２が巻装されている集水管１１内の透過水Ｗ２の圧力と電気伝導度とを計測するものである。電気伝導度センサ４のセンサ本体４ａは、カプセル形状とされており、その内部にバッテリーと記憶装置とを内蔵している。このカプセル形状のセンサとしては、例えば、超小型多項目センサー（Teledyne RD Instruments社、DSTシリーズ）等を採用することができる。
【００３２】
また、電気伝導度センサ４は、位置検出手段として、ＲＦＩＤ読込装置１９と情報送信部４ｂを有している。ＲＦＩＤ読込装置１９は、前述した各エレメント１２に搭載されているＲＦＩＤタグ１８との間で通信を行う装置である。ＲＦＩＤタグ１８とＲＦＩＤ読込装置１９とは、互いの距離が所定の距離以下になったときに通信が行われるように設定されている。即ち、互いの距離が所定の距離以上であるときには通信は行われない。具体的には、電気伝導度センサ４のＲＦＩＤ読込装置１９が、エレメント１２のＲＦＩＤタグ１８に最も接近したときに、反応するように調整されている。
ＲＦＩＤタグ１８とＲＦＩＤ読込装置１９との間で通信が行われると、その瞬間に電気伝導度センサ４から情報処理装置７に電気伝導度センサ４のＲＦＩＤ読込装置１９が、どのエレメント１２のＲＦＩＤタグ１８と通信を行ったかを記憶する。
【００３３】
情報送信部４ｂは、透過水Ｗ２の圧力及び電気伝導度の測定結果を例えば電波を使い情報処理装置７に送信することができる。また、この情報送信部４ｂは、ＲＦＩＤ読込装置１９の情報を情報処理装置７に送信することができる。即ち、電気伝導度センサ４に設けられているＲＦＩＤ読込装置１９が、エレメント１２に設けられているＲＦＩＤタグ１８と情報のやり取りをした場合、その情報を情報処理装置７に無線送信することができる。
【００３４】
情報処理装置７は、電気伝導度センサ４の情報送信部４ｂから送信された電気伝導度、及びＲＦＩＤ読込装置１９及びＲＦＩＤタグ１８による位置情報を無線受信する受信部７ａ（図１参照）を有している。
【００３５】
即ち、電気伝導度センサ４は、透過水Ｗ２の圧力及び電気伝導度を計測しつつ、その情報を情報処理装置７に送信する。さらに、エレメント１２のＲＦＩＤタグ１８の直近を通過した際は、その情報、即ち位置情報を情報処理装置７に送信する。情報処理装置７は、電気伝導度センサ４からの計測情報を受信しつつ、電気伝導度センサ４がどのエレメント１２の直近を通過したかという情報と、その通過時間を記憶する。
【００３６】
また、本実施形態の逆浸透膜淡水化システム１は、電気伝導度センサ４、ＲＦＩＤタグ１８，１９、及び情報処理装置７との組み合わせで、電気伝導度センサ４の速度を測定する速度測定手段を有している。
速度測定手段は、電気伝導度センサ４のＲＦＩＤ読込装置１９が、所定のエレメント１２のＲＦＩＤタグ１８と無線通信を行った時間から別のエレメント１２のＲＦＩＤタグ１８と無線通信を行った時間までの経過時間と、所定のエレメント１２と別のエレメント１２との距離とから、電気伝導度センサ４の移動速度を算出する。
【００３７】
例えば、エレメント１２ａとエレメント１２ｂとの距離をＤとし、電気伝導度センサ４がエレメント１２ａからエレメント１２ｂまでの移動時間をｔとした場合、電気伝導度センサ４の速度は、Ｄ／ｔで算出することができる。電気伝導度センサ４は、集水管１１を流れる透過水Ｗ２と略同じ速度で移動するため、電気伝導度センサ４の移動速度は、透過水Ｗ２の移動速度とすることができる。さらに、さらに、集水管１１の内径は一定であるため、透過水Ｗ２の移動速度から、透過水Ｗ２の流量を推測することができる。
【００３８】
センサ供給装置３は、複数の電気伝導度センサ４を順次センサ供給パイプ５に供給可能な装置である。電気伝導度センサ４をセンサ供給パイプ５に供給する方法は、装置を用いる方法に限らず、人の手によって電気伝導度センサ４をセンサ供給パイプ５に投入する方法でもよい。
【００３９】
次に、本実施形態の検査装置３１を用いた逆浸透膜淡水化システム３０の検査方法の流れについて、図１を用いて説明する。
検査する際には、まず、センサ供給装置３を用いてセンサ供給パイプ５に電気伝導度センサ４を供給する。本実施形態のセンサ供給パイプ５は、センサ供給装置３から供給される電気伝導度センサ４がランダムに逆浸透膜モジュール２に送られるように構成されている。即ち、電気伝導度センサ４は、複数の逆浸透膜モジュール２のうちいずれか一つの逆浸透膜モジュール２に送られる。電気伝導度センサ４の逆浸透膜モジュール２への送り方法としては、各逆浸透膜モジュール２とセンサ供給装置３を個別のセンサ供給パイプで接続することで、個別に電気伝導度センサ４を供給する方法を採用してもよい。
【００４０】
電気伝導度センサ４がセンサ供給パイプ５を介して逆浸透膜モジュール２の開口部１４に設けられたボールバルブ１６に到達すると、ボールバルブ１６に設けられた接触感知装置が反応し、まず、第一ボールバルブ１６ａが開状態となり、電気伝導度センサ４が第一ボールバルブ１６ａと第二ボールバルブ１６ｂとの間に侵入する。そして、第一ボールバルブ１６ａが閉状態となった後に、第二ボールバルブ１６ｂが開状態となり、電気伝導度センサ４がエレメント１２ａの集水管１１に進入する。次いで、電気伝導度センサ４は集水管１１内を通過する透過水Ｗ２の流れととともに、集水管１１の後方側に移動する。
【００４１】
電気伝導度センサ４はエレメント１２ａの略中心と貫通している集水管１１内を移動しつつ、その位置における透過水Ｗ２の圧力と電気伝導度を計測する。計測された圧力及び電気伝導度は、電気伝導度センサ４の記憶装置に格納されるとともに、無線通信によって情報処理装置７に送信される。
次いで、電気伝導度センサ４が移動を進め、電気伝導度センサ４のＲＦＩＤ読込装置１９と、エレメント１２ａの後端付近に設けられているＲＦＩＤタグ１８との間で通信が行われて、その瞬間に電気伝導度センサ４は電気伝導度センサ４の位置情報として、エレメント１２ａを通過した情報を情報処理装置７に送信する。
情報処理装置７は、位置情報と合わせて圧力及び電気伝導度の情報を処理する。この場合、圧力及び電気伝導度がエレメント１２ａの位置におけるものであると判断する。
【００４２】
以下、同様に、エレメント１２ｂ〜１２ｆにおいても、各位置における圧力及び電気伝導度のデータと位置情報が、無線通信によって情報処理装置７に送信される。そして、エレメント１２ｆの集水管１１を通過した電気伝導度センサ４は、生産水取出し管８の内径が電気伝導度センサ４の外径より小さいため、集水管１１の後方側の端部へ導かれ、籠９に投入され回収される。
【００４３】
情報処理装置７は、正常な状態との比較によって、複数のエレメント１２のいずれかに異常があった場合に異常なエレメント１２を特定する。例えば、全てのエレメント１２の状態が正常である場合、最も上流側のエレメント１２ａから、最も下流側のエレメント１２ｆまで電気伝導度は、所定の増加率で徐々に増加するが、いずれかのエレメント１２に異常があった場合、異常なエレメント１２設置場所で測定される電気伝導度が正常な状態よりも大きくなる。このように、情報処理装置７は電気伝導度の増加率の変動から異常なエレメント１２を特定する。
【００４４】
なお、透過水Ｗ２は、集水管１１の後方側から生産水取出し管８へと導かれてヘッダ６に導出される。さらに濃縮水Ｗ４は、圧力容器１０の後方側から取り出される。
情報処理装置７は、透過水Ｗ２の電気伝導度及び流量を随時監視し、異常な測定値であった場合は、位置情報を参照し、不良のあったエレメント１２を特定する。
【００４５】
上記実施形態によれば、複数のエレメント１２を有する逆浸透膜モジュール２であっても、電気伝導度センサ４をエレメント１２毎に移動させる必要がなくなる。さらに、速度測定手段を用いて電気伝導度センサ４の速度を測定することによって、透過水Ｗ２の流速、ひいては、透過水Ｗ２の流量を測定することができる。したがって、逆浸透膜淡水化装置３０の検査時間を低減して、容易に性能の劣化したエレメント１２を特定することができる。
【００４６】
また、エレメント１２のＲＦＩＤタグ１８の位置情報を用いることによって、容易に性能の劣化したエレメント１２を特定することができるとともに、低コストで透過水Ｗ２の流量を測定することができる。
【００４７】
また、複数の逆浸透膜モジュール２を設けることで生産水Ｗ３を増量できる一方で、複数の電気伝導度センサ４によって同時に複数の逆浸透膜モジュール２が検査されるため、複数の逆浸透膜モジュール２を設けた場合でも逆浸透膜淡水化装置３０の検査時間を低減して、容易に性能の劣化した逆浸透膜エレメント１２を特定することができる。
【００４８】
さらに、第一ボールバルブ１６ａ及び第二ボールバルブ１６ｂとからなる二重弁を介して電気伝導度センサ４を投入する構成とすることによって、逆浸透膜淡水化装置３０を停止することなく検査することができる。
【００４９】
なお、本発明の技術範囲は上記の実施形態に限定されるものではなく、本発明の趣旨を逸脱しない範囲において、種々の変更を加えることが可能である。
以上で説明した実施形態では、電気伝導度センサ４の位置を測定する手段として、ＲＦＩＤタグ１８，１９の情報と、情報処理装置７を用いた手段を採用したが、これに限ることはない。例えば、図３に示すように、集水管１１の後端に超音波発信装置２１を設け、この超音波発信装置２１から発信された超音波を電気伝導度センサ４に当て、その反射波を計測することにより、電気伝導度センサ４の位置を測定する構成とすることもできる。情報処理装置７は、この位置情報と時間の関係より、電気伝導度センサ４の速度を算出することができ、ひいては、透過水Ｗ２の流量を測定することができる。
【００５０】
また、上記実施形態において位置特定のためのＲＦＩＤタグは、エレメント１２に設ける構成としたが、電気伝導度センサ４のＲＦＩＤ読込装置１９と非接触通信が可能であれば、圧力容器１０に設ける構成としてもよい。
さらに、電気伝導度センサ４の位置を特定する固体識別手段は、ＲＦＩＤタグに限ることはなく、互いに通信可能であればよい。例えば、その代替として磁気を用いて通信するタグや、バーコードのようなマーキングを利用することもできる。
【符号の説明】
【００５１】
Ｗ１  被処理水
Ｗ２  透過水
１  逆浸透膜淡水化システム
２  逆浸透膜モジュール
４  センサ
４ａ  センサ本体
４ｂ  情報送信部（電気伝導度送信部、位置送信部）
５  センサ供給パイプ
７  情報処理装置（情報処理部）
７ａ  受信部
１０  圧力容器
１１  集水管
１２  逆浸透膜エレメント
１４  開口部
１５  逆浸透膜
１６ａ（１６）  第一ボールバルブ（バルブ、二重バルブ）
１６ｂ（１６）  第二ボールバルブ（バルブ、二重バルブ）
１８  ＲＦＩＤタグ（固体識別手段）
１９  ＲＦＩＤ読込装置（位置検出部、固体識別情報受信部）
２１  超音波発信装置
３０  逆浸透膜淡水化装置
３１  検査装置
【図１】
0005656893.tif 000002
【図２】
0005656893.tif 000003
【図３】
0005656893.tif 000004